(57)【要約】      （修正有）【課題】注出筒から垂れた内容液を確実に除去して、蓋体の閉蓋時の液の飛散を防止するようにし、しかも、一度除去した内容液による液だれや液漏れを防止可能な注出栓を提供する。【解決手段】キャップ７は、ノズル本体５に装着されるとともに、該ノズル本体５への装着状態にて注出筒３を貫通させる開口部４０ａが頂壁４０に形成されたベース３５と、該ベース３５に着脱可能に配置され栓部６が設けられた蓋体３７と、ベース３５に対して蓋体３７を回動可能に連結保持するヒンジ３６とを有し、ベース３５とノズル本体５との相互間に注出筒３の周りに延在する貯留空間４４が形成され、ベース３５は、開口部４０ａの周りで頂壁４０に開口し、貯留空間４４内につながる少なくとも1本のスリット４６を有する。【選択図】図１
2011093578.tif 000002
【特許請求の範囲】
【請求項１】
容器内の内容液を注出する注出筒を有し、容器の口部に固定保持されるノズル本体と、このノズル本体に配置され、前記注出筒に嵌合して該注出筒を密閉状態に保持する栓部を有するキャップとを備え、
前記キャップは、前記ノズル本体に装着されるとともに、該ノズル本体への装着状態にて前記注出筒を貫通させる開口部が頂壁に形成されたベースと、該ベースに着脱可能に配置され前記栓部が設けられた蓋体と、前記ベースに対して蓋体を回動可能に連結保持するヒンジとを有し、
前記ベースと前記ノズル本体との相互間に前記注出筒の周りに延在する貯留空間が形成され、
前記ベースは、前記開口部の周りで前記頂壁に開口し、前記貯留空間内につながる少なくとも1本のスリットを有することを特徴とする注出栓。
【請求項２】
前記スリットに、前記貯留空間に流入した内容液の漏出を防止する逆流防止片を設けた、請求項１に記載の注出栓。
【請求項３】
前記蓋体は、前記注出筒を密閉状態に保持した閉塞姿勢にて、前記スリットに適合して前記貯留空間を密閉する封止壁を有する、請求項１又は２に記載の注出栓。
【発明の詳細な説明】
【技術分野】
【０００１】
この発明は、注出筒から垂れた内容液が蓋体の閉蓋に起因して飛散するのを防止した注出栓に関するものである。
【背景技術】
【０００２】
容器の口部に取着されるノズル本体と、このノズル本体に覆い被さる蓋体とからなり、これらのノズル本体と蓋体とをヒンジを介して連結してなる注出栓は従来より知られている。
【０００３】
このような従来の注出栓では、蓋体を開放しヒンジの反対側（ヒンジに対向する側）を下に傾けて内容液を注出した後、ノズル本体の上面周縁に注出筒から垂れた内容液が残留し、蓋体を閉蓋した際、蓋体の環状壁の下面とノズル本体の上面との当接により、ノズル本体の上面周縁に残留した液が飛散するという問題がある。
【０００４】
この問題に対し、特許文献１には、注出具本体の上面に突出部を形成することにより、キャップの下面と注出具本体の上面との直接の衝突を回避して、液の飛散を防止する注出具が開示されている。
【先行技術文献】
【特許文献】
【０００５】
【特許文献１】実用新案登録第２５３４２６９号公報
【発明の概要】
【発明が解決しようとする課題】
【０００６】
しかしながら、上記特許文献１に記載の注出具では、注出具本体の上面に突出部を形成して液の飛散を防止しているが、注出具本体の上面の隣接する突出部相互間には液が残り、特に、内容液の注出等のために容器を傾けた場合に、これらの突出部間に残留した液が漏れ出すという問題があった。
【０００７】
この発明は、上記問題を解決することを課題とし、注出筒から垂れた内容液を確実に除去して、蓋体の閉蓋時の液の飛散を防止するようにし、しかも、一度除去した内容液による液だれや液漏れを防止可能な注出栓を提供することを目的とする。
【課題を解決するための手段】
【０００８】
この発明は、上記課題を解決するためになされたものであり、この発明の注出栓は、容器内の内容液を注出する注出筒を有し、容器の口部に固定保持されるノズル本体と、このノズル本体に配置され、前記注出筒に嵌合して該注出筒を密閉状態に保持する栓体を有するキャップとを備え、前記キャップは、前記ノズル本体に装着されるとともに、該ノズル本体への装着状態にて前記注出筒を貫通させる開口部が頂壁に形成されたベースと、該ベースに着脱可能に配置され前記栓部が設けられた蓋体と、前記ベースに対して蓋体を回動可能に連結保持するヒンジとを有し、前記ベースと前記ノズル本体との相互間に前記注出筒の周りに延在する貯留空間が形成され、前記ベースは、前記開口部の周りで前記頂壁に開口し、前記貯留空間内につながる少なくとも1本のスリットを有することを特徴とするものである。
【０００９】
かかる注出栓にあっては、キャップを開蓋し容器を傾けて内容液を注出した後、注出筒から垂れた内容液はその傾斜方向に流れるが、キャップには、ノズル本体との相互間に区画形成された貯留空間内へとつながるスリットが設けられているので、内容液の注出時に流れ出た内容液はスリットを通ってこの貯留空間内へ流入し収納される。そして、貯留空間はスリットによってのみ外部につながることから一度貯留空間内に収容された液は外部に漏れ出し難い。
【００１０】
従って、この発明の注出栓によれば、注出筒から垂れた内容液を確実に除去して、閉蓋時の液の飛散を防止することができ、しかも、一度除去した内容液の液だれや液漏れを防止することができる。
【００１１】
なお、この発明の注出栓にあっては、前記スリットに、前記貯留空間に流入した内容液の漏出を防止する逆流防止片を設けることが好ましい。
【００１２】
さらに、この発明の注出栓にあっては、前記蓋体は、前記注出筒を密閉状態に保持した閉塞姿勢にて、前記スリットに適合して前記貯留空間を密閉する封止壁を有することが好ましい。
【発明の効果】
【００１３】
この発明によれば、注出筒から垂れた内容液等を確実に除去して、閉蓋時の液の飛散を防止するようにし、しかも、一度除去した内容液による液だれや液漏れを防止可能な注出栓を提供することが可能となる。
【図面の簡単な説明】
【００１４】
【図１】この発明の一実施形態の注出栓を容器の口部に装着した状態にて、該容器の一部とともに示した縦断面図である。
【図２】図１の注出栓に適用されるキャップを示し、（ａ）は平面図、（ｂ）はＡ−Ａ線に沿う断面図である。
【図３】この発明の他の実施形態の注出栓を容器の口部に装着した状態にて、容器の一部とともに示した縦断面図である。
【図４】図３の注出栓を用いて実際に内溶液の注出を行う状態を示す注出栓付き容器の一部縦断面図である。
【発明を実施するための形態】
【００１５】
以下、この発明の実施の形態を図面を参照して詳細に説明する。ここに図１は、この発明の一実施形態の注出栓を容器の口部に装着した状態にて、該容器の一部とともに示した縦断面図であり、図２は、図１の注出栓に適用されるキャップを示し、（ａ）は平面図、（ｂ）はＡ−Ａ線に沿う断面図である。
【００１６】
図１に示すように、注出栓１は、内容液として例えば液体洗剤や柔軟剤が収容される容器２内の内容液を注出する注出筒３を有し、容器２の口部２ａに固定保持されるノズル本体５と、このノズル本体５に配置され、注出筒３に嵌合して注出筒３を密閉状態に保持する栓部６を備えたキャップ７とを備えている。
【００１７】
ノズル本体５は、容器２の口部２ａに螺合により装着される第１ノズル部材９と、この第１ノズル部材９に着脱自在に被せられた第２ノズル部材１０とを有している。
【００１８】
容器２は、例えばポリエチレン樹脂やポリプロピレン樹脂、ポリエステル樹脂などの合成樹脂材料をブロー成形等によりボトル状に成形したものからなる。上記口部２ａは、容器２の底部から筒状に起立した胴部の上端部に設けられている。また、口部２ａの外周面には、第１ノズル部材９を螺合により装着するためのネジ２ｂが形成されている。
【００１９】
第１ノズル部材９は、例えばポリエチレン樹脂やポリプロピレン樹脂などの合成樹脂材料からなる。第１ノズル部材９は、容器２の口部２ａの内側に配置された環状の底壁１１と、この底壁１１の内周縁部から上方に立ち上がって口部２ａより突出する筒状のノズル１３と、底壁１１の外周縁部から上方に向かって立ち上がる内筒部１５と、この内筒部１５の上方に位置して第２ノズル部材１０が着脱自在に装着される中間筒部１７と、これら内筒部１５及び中間筒部１７の外側に位置して容器２の口部２ａに着脱自在に装着される外筒部１９と、を有している。
【００２０】
底壁１１は、注出時にノズル１３を傾ける方向とは反対方向に下降するように傾斜して設けられている。また、この底壁１１の最下端部には、ノズル１３と内筒部１５との間に溜まった液体を容器２内に戻すための戻し口１１ａが設けられている。なお、このような戻し口１１ａは、底壁１１以外にもノズル１３の基端部や内筒部１５に設けることができる。
【００２１】
内筒部１５は、口部２ａの内側に挿入される部分であり、ノズル１３との間に環状の空隙を隔てて設けられている。中間筒部１７は、この内筒部１５の上端部から段差部２０を経て口部２ａよりも上方に向かって略円筒状に立ち上がり形成されている。また、中間筒部１７の外周面には、第２ノズル部材１０を螺合により着脱自在とするためのネジ１７ｂが形成されている。外筒部１９は、中間筒部１７のネジ１７ｂよりも下方に位置するフランジ部２１を介して下方に向かって略円筒状に垂下されている。また、外筒部１９の内周面には、上述した口部２ａのネジ２ｂに螺合されるネジ１９ｂが形成されている。これにより、第１ノズル部材９は、容器２の口部２ａに対して着脱自在に装着することが可能となっている。
【００２２】
第２ノズル部材１０は、例えばポリエチレン樹脂やポリプロピレン樹脂などの合成樹脂材料からなる。この第２ノズル部材１０は、第１ノズル部材９から取り外してノズル１３から注出された内容液を計り取る計量部１０ａと、第１ノズル部材９に被せた状態のまま容器２に収容された内容液を注出する上述の注出筒３とを有している。
【００２３】
計量部１０ａの底面部の一部を構成する第１底板部２３の外縁部からは、第１底板部２３を取り囲むように環状の外側筒部２４が上方に向けて立設され、第１底板部２３の内縁部からは内側筒部２５が上方に向けて立設されている。第１底板部２３の背面側には、外側筒部２４との間に、後述するベース３５における挿入片４１ａが差し込まれる窪みを形成する固定壁２６が垂下される。また、外側筒部２４の背面側は、後述するヒンジ３６に関連した弾性反転片３６ａとの干渉を避けるため一部が切り欠かれている。内側筒部２５の上面部は第２底板部２８により閉塞している。これにより、第２底板部２８の周りには、環状の収納凹部２９が形成されている。また、第２ノズル部材１０は、計量部１０ａの側面部を構成する内周壁３０と、内周壁３０の外側に位置して第１ノズル部材９に着脱自在に装着される外周壁３１とを有している。
【００２４】
内周壁３０は、第１底板部２３の下面からノズル１３の周囲を囲むように垂下されている。外周壁３１は、内周壁３０の外周面の中途部に位置するフランジ部３２を介して下方に向かって略円筒状に垂下されている。また、外周壁３１の内周面には、上述した中間筒部１７のネジ１７ｂに螺合されるネジ３１ｂが形成されている。これにより、第２ノズル部材１０は、第１ノズル部材９に対して着脱自在に被せることが可能となっている。
【００２５】
なお、第２ノズル部材１０は、計量部１０ａによる計量を行い易くするため、透明であることが好ましく、内周壁３０の側面部には、容量表示のための目盛り（図示省略）が設けられている。また、外周壁３１の外周面には、この第２ノズル部材１０を回す際の滑り止めとなる複数のローレット３３が全周に亘って設けられている。
【００２６】
第２底板部２８にノズル１３に対向して設けられた注出筒３は、ノズル１３の先端部よりも小径であり、ノズル１３の内側に位置するように配置されている。また、注出筒３の先端部内面は、キャップ７の栓部６が円滑に挿入されるよう先端に向けて内径が漸増するテーパー形状を有している。
【００２７】
さらに、注出筒３は、ノズル１３の中心から容器２を傾ける側に偏心して配置されている。この場合、第２ノズル部材１０を第１ノズル部材９に被せた状態のまま容器２を傾けることによって、ノズル１３から注出された内容液を注出筒３から速やかに注出させることができる。
【００２８】
キャップ７は、第２ノズル部材１０に装着され保持されるベース３５と、該ベース３５に着脱可能に配置され上記栓部６が設けられた蓋体３７と、キャップ７の背面側に配置され、ベース３５に対して蓋体３７を回動可能に連結保持するヒンジ３６とを有している。またキャップ７には、ヒンジ３６に関連して弾性反転片３６ａが設けられている。ベース３５は、第２ノズル部材１０とは別体に形成されている。蓋体３７は、頂板３８の外周縁部から垂下した環状の封止壁３９を有し、封止壁３９の下端面は、閉蓋時にベース３５の頂壁４０の段差部４０ｂに当接する。上記栓部６は、頂板３８の下面に形成されている。
【００２９】
ベース３５は、第２ノズル部材１０の上記環状凹部２９内に嵌合により保持されている。具体的には、ベース３５は、第２底板部２８の上面部に配置される環状の頂壁４０と、頂壁４０の外周縁部において垂下保持された外周壁４１と、外周壁４１の内側で頂壁４０に垂下保持された内周壁４２とを有し、外周壁４１は、第２ノズル部材１０の外側筒部２４の外周面と液密に嵌合し、内周壁４２は、第２ノズル部材１０の内側筒部２５の外周面と液密に嵌合する。外周壁４１の背面側には下方に向けて延びる挿入片４１ａが設けられ、該挿入片４１ａは、第２ノズル部材１０の背面側で、固定壁２６と外側筒部２４とにより区画形成される上記窪み内に挿入され、そこに液密に固定保持される（図１参照）。これにより、ベース３５と第２ノズル部材１０との間、より具体的には、ベース３５の頂壁４０、外周壁４１及び内周壁４２と第２ノズル部材１０の第１底板部２３との間には環状の貯留空間４４が区画形成される。ベース３５の頂壁４０には、注出筒３を外部に臨ませるよう貫通させる開口部４０ａが設けられている。
【００３０】
図２に示すように、ベース３５の頂壁４０の正面側（ヒンジ３６に対向する側）には、上記開口部４０ａの周りで円弧状に開口するスリット４６が少なくとも1本（ここでは1本）設けられている。具体的には、スリット４６は、頂壁４０の外周部に設けられた段差部４０ｂに設けられている。スリット４６は、キャップ７とノズル本体５との相互間に形成された貯留空間４４につながり、注出筒３を介した内容液の注出時に注出筒３から垂れてベース３５の頂壁４０を伝って流れ出た内溶液を上記貯留空間４４に流入させるものである。スリット４６は、蓋体３７の封止壁３９の下端部に対向して設けられており、該下端部は、注出筒３を密閉状態に保持した閉塞姿勢（蓋体３７の閉蓋状態）にて、スリット４６に適合して貯留空間４４を密封する。
【００３１】
以上のような注出栓１を装着した容器２を用いて内容液の注出を行う場合には、蓋体３７を閉じた第２ノズル部材１０を第１ノズル部材９から取り外し、容器２を傾けてノズル１３から内容液を注出し、第２ノズル部材１０の計量部１０ａにて計量することができる（図示省略）。
【００３２】
一方、この注出栓１を装着した容器２では、第２ノズル部材１０を第１ノズル部材９に被せた状態のまま蓋体３７を開き、容器２を傾けることによって、ノズル１３から注出された内容液を注出筒３から注出することができる（図４参照）。
【００３３】
そして、かかる注出栓１にあっては、蓋体３７を開放しヒンジ３６に対向する側（正面側）を下に向けて傾けて内容液を注出した後、注出筒３から垂れた内容液はベース３５の頂壁４０上を伝って正面側に向けて流れ出すが、頂壁４０には、ベース３５とノズル本体５との相互間に区画形成された貯留空間４４内へとつながるスリット４６が設けられているので、流れた液はスリット４６を通って上記貯留空間４４内へと収納される。そして、貯留空間４４はスリット４６によってのみ外部につながることから一度貯留空間４４内に収容された液は外部に漏れ出し難くなっている。
【００３４】
従って、この発明の注出栓１によれば、注出筒３から垂れた内容液を確実に除去して、蓋体３７の閉蓋時の液の飛散を防止することができ、しかも、一度除去した内容液の液だれや液漏れを防止することができる。
【００３５】
また、この実施形態の注出栓１によれば、蓋体３７に、注出筒３を密閉状態に保持した閉塞姿勢にてスリット４６に適合して貯留空間４４を密封する封止壁を設けたことから、蓋体３７の閉蓋時において貯留空間４４内に流入した内溶液の漏出を防止することができる。
【００３６】
次いで、この発明の他の実施形態について図３及び４を参照して説明する。ここに図３はこの発明の他の実施形態の注出栓を容器の口部に装着した状態にて、容器の一部とともに示した縦断面図であり、図４は、図３の注出栓を用いて実際に内溶液の注出を行う状態を示す縦断面図である。なお、図１及び２に示した実施形態と同様の構成部材には同一の符号を付しその説明を省略する。
【００３７】
図３に示すように、この注出栓１では、スリット４６に、ベース３５と第２ノズル部材１０との相互間に形成された貯留空間４４に流入した内容液の漏出を防止する薄肉の逆流防止片４８が設けられている。逆流防止片４８は、スリット４６の、容器２を傾ける方の側面に下方に傾斜して突設されている。これによれば、図４に示すように容器２を傾斜させてもこの逆流防止片４８によって、貯留空間４４内に収納された液が塞き止められるので、貯留空間４４内からの液の漏出をより一層確実に防止することができる。
【００３８】
以上、図示例に基づき説明したが、この発明は上述の実施形態に限定されるものでなく、特許請求の範囲の記載範囲内で適宜変更することができるものであり、例えば、図示例ではスリットは１本として説明したが２本以上設けても良く、この場合、複数のスリットを円弧状に間欠的に配置しても良い。さらに、上記実施形態では、ノズル本体は、第１ノズル部材及び第２ノズル部材からなると説明したが、第１ノズル部材は省略しても良く、この場合、第２ノズル部材を直接容器の口部に装着可能に構成しても良い。
【産業上の利用可能性】
【００３９】
かくしてこの発明の注出栓によれば、注出筒から垂れた内容液を確実に除去して、閉蓋時の液の飛散を防止するようにし、しかも、一度除去した内容液の液だれや液漏れを防止することのできる注出栓を提供することが可能となる。
【符号の説明】
【００４０】
１  注出栓
２  容器
３  注出筒
５  ノズル本体
６  栓部
７  キャップ
９  第１ノズル部材
１０  第２ノズル部材
３５  ベース
３６  ヒンジ
３７  蓋体
３９  封止壁
４０  頂壁
４０ａ  開口部
４４  貯留空間
４６  スリット
４８  逆流防止片
【図１】
2011093578.tif 000003
【図２】
2011093578.tif 000004
【図３】
2011093578.tif 000005
【図４】
2011093578.tif 000006